(57)【特許請求の範囲】
【請求項１】
穀物搬送樋の一端と他端にそれぞれ設けた駆動スプロケットと従動スプロケットとの間に、多数の搬送翼を備えたフライトチェーンを水平状に懸回してなる穀物搬送機において、穀物搬送樋内に、穀物搬送方向と直交する回動軸に複数の垂下状ロッドを穀物搬送樋内の幅方向にフォーク状をなすように備えてなる穀物流検知体を設けるとともに、この穀物流検知体の垂直状ロッドが搬送穀物層面に沿って浮上するときの回動軸の回動角を検知するセンサを設けて構成し、穀物流検知体の垂直状ロッドの垂下端に、穀物搬送樋内に生じる気流の影響を受けることのない搬送穀物層面に対応するヘラ状の拡幅面を形成したことを特徴とする穀物搬送機における穀物流検知装置。
【発明の詳細な説明】
【０００１】
【発明の属する技術分野】
本発明は、穀物搬送樋の一端と他端にそれぞれ設けた駆動スプロケットと従動スプロケットとの間に、多数の搬送翼を備えたフライトチェーンを水平状に懸回してなり、フライトチェーンの周動により穀物搬送樋の穀物排出側に搬送する穀物搬送機において、搬送穀物流の有無を検知する穀物搬送機における穀物流検知装置に関する。
【０００２】
【従来の技術】
穀物搬送樋の一端と他端にそれぞれ設けた駆動スプロケットと従動スプロケットとの間に、多数の搬送翼を備えたフライトチェーンを水平状に懸回してなる穀物搬送機は、特開昭６２−２３５１１号公報または特開平８−４０５３４号公報に記載されているように、種々のものが知られている。
【０００３】
【発明が解決しようとする課題】
この種の穀物搬送機は、穀物搬送樋の穀物供給部から供給された穀物を、多数の搬送翼を備えたフライトチェーンの周動により、穀物搬送樋の穀物排出側に搬送するものであるが、穀物搬送機における搬送穀物流の有無は、穀物の供給や停止、関連する穀物調製機器の関連動作制御などのために的確に検知する必要がある。
【０００４】
このため、この種の穀物搬送機においては、穀物搬送樋内に穀物の搬送路を遮るように、回動自在の板体を垂下状に設けた搬送穀物流検知装置を備えることが行われているが、穀物搬送樋は長い空洞を形成しているので、多数の搬送翼を備えたフライトチェーンの周動や搬送穀物層の移動、あるいは外気の吹き込みと吹き出しなどにより、穀物搬送樋内にはその長手方向に気流を生じることが多く、回動自在の板体はこの気流にあおられて、しばしば検知に誤作動を起こすことが指摘されていた。
【０００５】
そこで、本発明は、この問題点に対処しようとするものであって、穀物流検知体を回動軸に複数の垂下状ロッドを穀物搬送樋内の幅方向にフォーク状をなすように備え、垂下状ロッドには、穀物搬送樋内に生じる気流の影響を受けることのない搬送穀物層面に対応するヘラ状の搬送穀物層面に対応する拡幅面を形成することにより、穀物流検知体が穀物搬送樋内に種々の原因で生じる気流によってあおられる現象を無くし、もって、検知に誤作動を起こさず、検知の信頼性が高い穀物搬送機における穀物流検知装置を提供することを目的とする。
【０００６】
【課題を解決するための手段】
上記目的を達成するため、本発明に係る穀物搬送機における穀物流検知装置は、穀物搬送樋の一端と他端にそれぞれ設けた駆動スプロケットと従動スプロケットとの間に、多数の搬送翼を備えたフライトチェーンを水平状に懸回してなる穀物搬送機において、穀物搬送樋内に、穀物搬送方向と直交する回動軸に複数の垂下状ロッドを穀物搬送樋内の幅方向にフォーク状をなすように備えてなる穀物流検知体を設けるとともに、この穀物流検知体の垂直状ロッドが搬送穀物層面に沿って浮上するときの回動軸の回動角を検知するセンサを設けて構成したものである。
【０００７】
そして、本発明においては、穀物流検知体の垂直状ロッドの垂下端に、穀物搬送樋内に生じる気流の影響を受けることのない搬送穀物層面に対応するヘラ状の搬送穀物層面に対応する拡幅面を形成している。
【０００８】
【発明の実施の形態】
図面は本発明の一実施の形態を示し、図１は本発明に係る穀物搬送機の構成概要図、図２は本発明に係る穀物搬送機の要部の縦断正面図、図３は図２に対応する右側面図、図４は図２に対応する左側面図である。
【０００９】
図１において、１は本発明に係る穀物搬送機である。この穀物搬送機１は、水平方向に架設した穀物搬送樋２の一端の駆動スプロケット３と、他端の従動スプロケット４との間に、多数の搬送翼（フライト）５を備えたフライトチェーン６を懸回してなるものである。７は複数の穀物排出口であり、各穀物排出口７にはそれを開閉するシャッタ（図示せず）を備えている。８は駆動モータである。この駆動モータ８は駆動スプロケット３に回転力を伝動してフライトチェーン６を回転させるものである。９は穀物流検知装置である。
【００１０】
上記穀物搬送機１において、穀物流検知装置９は、図２ないし図４に詳細を示すように、穀物流検知体１０とセンサ１１とで構成されている。穀物検知体１０は、穀物搬送樋２内の上部に穀物搬送方向と直交するように軸支した回動軸１２に、複数の垂下状ロッド１３をフォーク状をなすように取り付けて構成されており、垂直状ロッド１３の垂下端はヘラ状の拡幅面１４を形成している。図３および図４においてＡは搬送穀物層を示し、矢印はその搬送方向を示している。
【００１１】
穀物流検知体１０を構成する回動軸１２の一端には、ウエイト１５を備えている。このウエイト１５は、垂下状ロッド１３に搬送穀物層Ａに対してその搬送方向に抗する荷重を付与するものであり、ウエイト１５は荷重調節が可能である。
【００１２】
穀物流検知体１０を構成する回動軸１２の他端には、半円弧状をなす回転角検知体１６が固着されており、このセンサ１１は回転角検知体１６の回動軌跡に近接対応するように設けられている。すなわち、回動角検知体１６は、垂下状ロッド１３が垂直に垂下した回転角ではセンサ１１に円弧部が対応せず、垂下状ロッド１１が搬送穀物層Ａの搬送方向に回動する回転角のときに円弧部がセンサ１１に対応する構成をなしており、センサ１１は回動角検知体１６のこの状態の変化を検知して搬送穀物流の有無を検知する作動をする。したがって、センサ１１は種々の近接センサで構成されるが、マイクロスイッチのような電気的接点構造であってもよい。１７はセンサ１１のホルダを示している。
【００１３】
上記回転角検知体１６は、垂下状ロッド１３が垂直姿勢の状態で水平面に対して上側に半円弧状の姿勢をなすものである。１８はストッパである。ストッパ１８は回転角検知体１６の上記姿勢において穀物搬送方向と反対側に慣性等により回動するのを阻止するものである。このストッパ１８を備えることにより、搬送穀物層Ａが無いときの穀物検知体１０の不規則な作動を無くして検知の信頼性を向上させることができる。
【００１４】
穀物搬送機１において、フライトチェーン６を回転し、穀物搬送樋２の穀物供給部に穀物を供給すると、その穀物は穀物搬送樋２内に搬送穀物層Ａ形成して順次搬送方向に搬送され、開口している穀物排出口７から排出される。
【００１５】
そして、穀物搬送樋２内に搬送穀物層Ａが形成されると、穀物流検知装置９を構成する穀物流検知体１０の垂直状ロッド１３が搬送穀物層Ａの層面に押し上げられて浮上し、回動軸１２の回動により回動角検知体１６の円弧部がセンサ１１に対応するので、センサ１１により穀物搬送樋２内に搬送穀物層Ａが形成されていることが検知される。すなわち、センサ１１により搬送穀物流の有ることが検知される。なお、穀物搬送樋２内に搬送穀物層Ａが形成されないときは、回動角検知体１６の円弧部がセンサ１１に対応しないので、センサ１１により搬送穀物流の無いことが検知されることになる。
【００１６】
穀物流検知装置９を構成する穀物流検知体１０は、垂下状ロッド１３によりフォーク状をなしているので、穀物搬送樋２内に生じる気流による風圧では穀物流検知体１０が作動しない。このため、搬送穀物流の有無を的確に検知することができ、その検知の信頼性はきわめて高いものである。
【００１７】
特に、穀物流検知体１０の垂直状ロッド１３の垂下端をヘラ状の拡幅面１４に形成したことにより、気流の影響を受けることなく搬送穀物流に応じた検知作動が一段と確実となる。
【００１８】
【発明の効果】
本発明によれば、穀物流検知体を回動軸に複数の垂下状ロッドを穀物搬送樋内の幅方向にフォーク状をなすように備え、垂下状ロッドには、穀物搬送樋内に生じる気流の影響を受けることのない搬送穀物層面に対応するヘラ状の搬送穀物層面に対応する拡幅面を形成することにより、穀物流検知体が穀物搬送樋内に種々の原因で生じる気流によってあおられる現象を無くして、検知に誤作動を起こさず、検知の信頼性が高い穀物搬送機における穀物流検知装置を得ることができる。
【図面の簡単な説明】
【図１】本発明に係る穀物搬送機の構成概要図である。
【図２】本発明に係る穀物搬送機の要部の縦断正面図である。
【図３】図２に対応する右側面図である。
【図４】図２に対応する左側面図である。
【符号の説明】
１  穀物搬送機
２  穀物搬送樋
３  駆動スプロケット
４  従動スプロケット
５  搬送翼
６  フライトチェーン
７  穀物排出口
８  駆動モータ
９  穀物流検知装置
１０  穀物流検知体
１１  センサ
１２  回動軸
１３  垂下状ロッド
１４  拡幅面
１５  ウエイト
１６  回転角検知体
１７  ホルダ
１８  ストッパ
Ａ  搬送穀物層
【図１】
0003587492.tif 000002
【図２】
0003587492.tif 000003
【図３】
0003587492.tif 000004
【図４】
0003587492.tif 000005